(57)【要約】【課題】ステージ上の任意の回転位置にスライドガラスを載置することができる顕微鏡用標本ホルダ、ステージ、顕微鏡を提供すること。【解決手段】ステージ３上を該ステージ３に対して定められたＸ軸方向へ移動可能なホルダ本体４１と、板ばね４５を介してホルダ本体４１に連結され、ステージ３上でスライドガラス３１を保持するスライドガラス保持部４７とを有し、スライドガラス保持部４７は、スライドガラス３１がスライドガラス保持部４７に設置された際スライドガラス３１の長手方向がＸ軸に対して任意の角度になるように、ステージ３上で回転させるスライドガラス保持部回転手段を備える顕微鏡用標本ホルダ３３。【選択図】図１
2010060738.tif 000002
【特許請求の範囲】
【請求項１】
ステージ上を該ステージに対して定められたＸ軸方向へ移動可能なホルダ本体と、
連結部を介して前記ホルダ本体に連結され、前記ステージ上でスライドガラスを保持するスライドガラス保持部とを有し、
前記スライドガラス保持部は、前記スライドガラスが前記スライドガラス保持部に設置された際前記スライドガラスの長手方向が前記Ｘ軸に対して任意の角度になるように、前記ステージ上で回転させるスライドガラス保持部回転手段を備えることを特徴とする顕微鏡用標本ホルダ。
【請求項２】
前記スライドガラス保持部は前記スライドガラス保持部回転手段を構成する軸部材によって前記連結部に取り付けられており、前記スライドガラス保持部は前記軸部材を中心に回転可能であることを特徴とする請求項１に記載の顕微鏡用標本ホルダ。
【請求項３】
前記軸部材は、前記スライドガラス保持部に保持された前記スライドガラスの前記長手方向の辺部に垂直な中心線上に設けられていることを特徴とする請求項２に記載の顕微鏡用標本ホルダ。
【請求項４】
前記スライドガラス保持部は１つ以上の螺子によって前記連結部に取り付けられており、前記スライドガラス保持部は、前記螺子を緩めることによって回転可能となり、前記螺子を締めることによって回転角度が固定されることを特徴とする請求項２又は３に記載の顕微鏡用標本ホルダ。
【請求項５】
前記螺子は、前記軸部材である第１螺子と、前記連結部に形成された円弧状スリットに挿通されると共に前記スライドガラス保持部に締め付け可能に取り付けられた第２螺子とを含み、前記第２螺子は、前記スライドガラス保持部の回転に伴って前記円弧状スリット内を移動することを特徴とする請求項４に記載の顕微鏡用標本ホルダ。
【請求項６】
前記円弧状スリットは前記第１螺子を中心とした円上に形成されていることを特徴とする請求項５に記載の顕微鏡用標本ホルダ。
【請求項７】
前記連結部には、前記円弧状スリットに沿って角度目盛が設けられていることを特徴とする請求項６に記載の顕微鏡用標本ホルダ。
【請求項８】
請求項１から７のいずれか１項に記載の顕微鏡用標本ホルダを有することを特徴とするステージ。
【請求項９】
請求項８に記載のステージを有することを特徴とする顕微鏡。
【発明の詳細な説明】
【技術分野】
【０００１】
本発明は、顕微鏡用標本ホルダ、ステージ、顕微鏡に関するものである。
【背景技術】
【０００２】
従来、顕微鏡のステージ上でスライドガラスに置かれた組織標本を観察するための顕微鏡用標本ホルダが種々提案されている（例えば、特許文献１を参照）。
【特許文献１】特開平１０−３９２３１号公報
【発明の開示】
【発明が解決しようとする課題】
【０００３】
従来の顕微鏡用標本ホルダでは、例えばスライドガラスの長手方向の辺部に対して斜めに置かれた組織標本を観察する場合、組織標本の各部分を視野内に入れていくために、ステージのＸ軸ハンドルとＹ軸ハンドルの両方を操作して、スライドガラスを階段状に移動していた。このため、操作性が不十分であった。また、上記特許文献１の顕微鏡用標本ホルダは、ステージ上の２つの回転位置にスライドガラスを載置することができるが、ステージ上の任意の回転位置にスライドガラスを載置することができるものではなかった。
【課題を解決するための手段】
【０００４】
上記課題を解決するために、本発明の顕微鏡用標本ホルダは、ステージ上を該ステージに対して定められたＸ軸方向へ移動可能なホルダ本体と、連結部を介して前記ホルダ本体に連結され、前記ステージ上でスライドガラスを保持するスライドガラス保持部とを有し、前記スライドガラス保持部は、前記スライドガラスが前記スライドガラス保持部に設置された際前記スライドガラスの長手方向が前記Ｘ軸に対して任意の角度になるように、前記ステージ上で回転させるスライドガラス保持部回転手段を備えることを特徴とする。
【０００５】
また、本発明のステージは、前記顕微鏡用標本ホルダを有することを特徴とする。
【０００６】
また、本発明の顕微鏡は、前記ステージを有することを特徴とする。
【発明の効果】
【０００７】
本発明によれば、ステージ上の任意の位置にスライドガラスを載置することができる顕微鏡用標本ホルダ、ステージ、顕微鏡を提供することができる。
【発明を実施するための最良の形態】
【０００８】
以下、本願の一実施形態に係る顕微鏡用標本ホルダ、ステージ、顕微鏡について図面を参照して説明する。
【０００９】
図１は、本願の一実施形態に係る顕微鏡用標本ホルダを示す平面図であり、同図（ａ）はスライドガラス保持部を第１螺子６１を回転軸として左回りに回転させた状態、（ｂ）はスライドガラス保持部が基準位置にある状態、（ｃ）はスライドガラス保持部を第１螺子６１を回転軸として右回りに回転させた状態をそれぞれ示す。
【００１０】
図２は、図１の顕微鏡用標本ホルダとスライドガラスに置かれた組織標本を示す平面図であり、同図（ａ）はスライドガラス保持部を第１螺子６１を回転軸として左回りに回転させた状態、（ｂ）はスライドガラス保持部が基準位置にある状態をそれぞれ示す。
【００１１】
図３は、図１の顕微鏡用標本ホルダを備えたステージを示す平面図であり、同図（ａ）はスライドガラス保持部を第１螺子６１を回転軸として左回りに回転させた状態、（ｂ）はスライドガラス保持部が基準位置にある状態、（ｃ）はスライドガラス保持部を第１螺子６１を回転軸として右回りに回転させた状態をそれぞれ示す。なお、図１から３において、各部材の符号は（ｂ）のみに付ける。
【００１２】
図４は、図３のステージを備えた顕微鏡を示す側面図である。
【００１３】
まず、本実施形態の顕微鏡１とステージ３について説明する。
【００１４】
図４に示すように、顕微鏡１は、本実施形態のステージ３と顕微鏡本体５と接眼レンズ７とレボルバ９と対物レンズ１１とを備える。顕微鏡本体５は、ベース１３と支柱１５とアーム１７とを有する。支柱１５には、上下動ハンドル１９を操作することによって上下方向（対物レンズ１１の光軸方向）に移動するサブステージ２１が設けられている。ステージ３はサブステージ２１に取り付けられている。
【００１５】
図３に示すように、ステージ３は、可動ステージ２３とその下の固定ステージ２５からなる。可動ステージ２３と固定ステージ２５とは共に板状であり、平面図における形状は略同じである。固定ステージ２５はサブステージ２１に固定されている。ステージ３には、ステージ３の下方へ突出する図示しないＸＹハンドルが設けられている。ＸＹハンドルは、可動ステージ２３上に載置されたスライドガラス３１をＸ軸・Ｙ軸方向へ移動するためのＸ軸ハンドルとＹ軸ハンドルとを有する。符号２６は、可動ステージ２３に形成され照明光を透過させ標本に照明光を照射可能にする長孔である。当然に固定ステージ２５にも長孔が設けられている。
【００１６】
なお、Ｘ軸・Ｙ軸は、図３（ｂ）に示す方向に延びる互いに直交する直線で、それらの方向はステージ３に対して定められている。本実施形態においては、Ｘ軸方向は可動ステージ２３の長手方向に一致している。
【００１７】
可動ステージ２３には、Ｘ軸方向へ延びるガイド溝２７が形成されている。ガイド溝２７には、角柱状の移動部材２９が保持されており、Ｘ軸方向に摺動可能となっている。移動部材２９に、スライドガラス３１を保持した本実施形態の顕微鏡用標本ホルダ３３が取り付けられている。
【００１８】
Ｘ軸ハンドルを回すと、図示しないラックピニオン機構などにより、可動ステージ２３に対して移動部材２９がガイド溝２７に沿ってＸ軸方向に移動する。同時に、移動部材２９に固定された顕微鏡用標本ホルダ３３、スライドガラス３１がＸ軸方向に移動する。なお、可動ステージ２３と移動部材２９には、Ｘ軸方向の移動量を測るためのＸ軸方向移動量目盛３５が設けられている。
【００１９】
Ｙ軸ハンドルを回すと、図示しないラックピニオン機構などにより、固定ステージ２５に対して可動ステージ２３全体がＹ軸方向に移動する。スライドガラス３１、顕微鏡用標本ホルダ３３は可動ステージ２３上に載置されているので、これらもＹ軸ハンドルの操作によってＹ軸方向に移動することになる。なお、可動ステージ２３と固定ステージ２５には、Ｙ軸方向の移動量を測るためのＹ軸方向移動量目盛３７が設けられている。
【００２０】
次に、本実施形態の顕微鏡用標本ホルダ３３について説明する。
【００２１】
図１に示すように、顕微鏡用標本ホルダ３３は、図３で示した移動部材２９に固定螺子３９により固定されたホルダ本体４１と、ホルダ本体４１にリベット４３により固定された板ばね（連結部）４５と、スライドガラス保持部回転手段を構成する板ばね４５を介してホルダ本体４１に連結され、可動ステージ２３上でスライドガラス３１を保持する板状のスライドガラス保持部４７とを有する。
【００２２】
スライドガラス保持部４７は、スライドガラス３１の隣り合う２つの端面３１ａ、３１ｂを支持するスライドガラス支持部４９と、スライドガラス支持部４９にリベット５１により固定された爪取り付け部５３と、渦巻きばね５５を装着した軸５７によって、爪取り付け部５３の下面に回転可能に取り付けられた弧状の回転爪５９などからなる。回転爪５９は、渦巻きばね５５によって付勢され、先端部でスライドガラス３１の頂点３１ｃを押さえている。
【００２３】
スライドガラス保持部４７は、スライドガラス保持部回転手段を構成する第１螺子６１と第２螺子６３によって板ばね４５に取り付けられており、板ばね４５によって下方へ付勢されることで、可動ステージ２３上にスライドガラス３１を確実に接触させている。
【００２４】
第１螺子６１は、スライドガラス保持部４７のホルダ本体４１側の端面近傍、かつスライドガラス３１の長手方向の長さの中心を通る、長手方向に対して垂直な線上に設けられている。第２螺子６３は、板ばね４５に形成されたスライドガラス保持部回転手段を構成する円弧状スリット６５に挿通されると共にスライドガラス保持部４７に締め付け可能に取り付けられている。円弧状スリット６５は第１螺子６１を中心とした円上に形成されている。
【００２５】
第１螺子６１と第２螺子６３とを緩めることによって、スライドガラス保持部４７は、第１螺子（軸部材）６１を中心に板ばね４５に対して可動ステージ２３上で回転可能となる。回転時、第２螺子６３は、スライドガラス保持部４７の回転に伴って円弧状スリット６５内を移動する。
【００２６】
回転中心である第１螺子（軸部材）６１が上記のようにスライドガラス保持部４７のホルダ本体４１側の端面近傍、かつスライドガラス３１の長手方向に垂直な中心線上に設けられているため、スライドガラス保持部４７を回転したとき、スライドガラス保持部４７の四隅の移動量をバランスよく、小さい範囲に抑えることができる。
【００２７】
第１螺子６１と第２螺子６３とを締めることによって、スライドガラス保持部４７を板ばね４５に固定し、スライドガラス保持部４７の回転角度を固定することができる。
【００２８】
板ばね４５には、スライドガラス保持部４７の回転量、即ちスライドガラス３１の回転量を測るための角度目盛６７が円弧状スリット６５に沿って設けられている。観察者は、第２螺子６３の円弧状スリット６５内の位置から、スライドガラス３１の回転量を測ることができる。
【００２９】
本実施形態では、スライドガラス保持部４７が基準回転位置（スライドガラス３１の長手方向の辺部がＸ軸方向に一致する位置）にあるとき、第２螺子６３が円弧状スリット６５内の中央に来るように構成している。そしてスライドガラス保持部４７が基準回転位置を０度としてプラスマイナス２０度まで回転可能となるように構成している。図１に示すように、角度目盛６７は、５度ずつ目盛られている。従って、スライドガラス保持部４７は、基準回転位置を基準とし、第１螺子６１を中心に左回り及び右回りが可能となっている。このため、スライドガラス保持部４７を任意の回転方向に移動することが可能になっている。
【００３０】
図１（ａ）では、スライドガラス保持部４７は左回りに限界まで回転した状態で固定されており、回転角度はプラス２０度である。図１（ｃ）では、スライドガラス保持部４７は右回りに限界まで回転した状態で固定されており、回転角度はマイナス２０度である。なお、角度目盛６７が示す回転角度は、スライドガラス３１の長手方向がＸ軸に対してなす角度に等しい。スライドガラス保持部４７及びそれに保持されるスライドガラス３１は、プラスマイナス２０度の範囲内で、スライドガラス３１の長手方向がＸ軸に対して任意の角度になるように、可動ステージ２３上で回転可能である。
【００３１】
図２には、顕微鏡用標本ホルダ３３のスライドガラス３１に斜め（スライドガラス３１の長手方向の辺部と非平行）に置かれた横長の組織標本６９と、視野７１との関係が示されている。図２に示すように、観察時、スライドガラス保持部４７を基準回転位置から回転することによって、組織標本６９がＸ軸に対して平行になるようにする。本実施形態においては第１螺子６１を回転軸に左回りにプラス２０度回転している。
【００３２】
このようにしてスライドガラス３１の回転位置を変え、組織標本６９をＸ軸に平行にすることで、Ｙ方向への移動を行うことなくＸ軸ハンドルを操作してスライドガラス３１をＸ軸方向に移動するだけで、組織標本６９の各部分を視野内に入れていき、組織標本６９全体を観察することができる。このため、Ｘ軸ハンドルとＹ軸ハンドルの両方を操作して、スライドガラス３１を階段状に移動していた従来技術に比べ、操作性を向上させることができる。
【００３３】
なお、組織標本６９がＸ軸よりもＹ軸の方に傾いているような場合には、スライドガラス保持部４７を回転させ、組織標本６９をＹ軸に平行にすることもできる。このようにすれば、Ｘ軸ハンドルを使用することなくＹ軸ハンドルの操作のみで組織標本６９を観察することができる。
【００３４】
以上のように、本実施形態によれば、可動ステージ２３上の任意の回転位置にスライドガラス３１を載置することができる顕微鏡用標本ホルダ３３、この顕微鏡用標本ホルダ３３を有するステージ３、このステージ３を有する顕微鏡１を提供することができる。本実施形態の顕微鏡用標本ホルダ３３によれば、可動ステージ２３上の任意の回転位置にスライドガラス３１を載置することができるため、ステージ３の移動をより簡単にするために観察者が可動ステージ２３上で標本の向きを連続的に変えることができるようになり、顕微鏡観察における利便性が従来に比べ大幅に向上する。
【００３５】
なお、本発明の顕微鏡用標本ホルダは、本実施形態に限定されるものではない。
【００３６】
例えば、顕微鏡用標本ホルダ３３のスライドガラス保持部４７は、回転爪のない型であってもよい。
【００３７】
また、スライドガラス保持部４７を板ばね４５に取り付け、回転角度を固定するための螺子は、１つ以上であればよい。例えば、第２螺子６３や円弧状スリット６５がなく、第１螺子６１のみの構成でもよい。
【００３８】
また、スライドガラス保持部４７が回転可能な角度範囲は４０度（プラスマイナス２０度）以上にすることもできる。
【図面の簡単な説明】
【００３９】
【図１】本願の一実施形態に係る顕微鏡用標本ホルダを示す平面図であり、同図（ａ）はスライドガラス保持部を左回りに回転させた状態、（ｂ）はスライドガラス保持部が基準位置にある状態、（ｃ）はスライドガラス保持部を右回りに回転させた状態をそれぞれ示す。
【図２】図１の顕微鏡用標本ホルダとスライドガラスに置かれた組織標本を示す平面図であり、同図（ａ）はスライドガラス保持部を左回りに回転させた状態、（ｂ）はスライドガラス保持部が基準位置にある状態をそれぞれ示す。
【図３】図１の顕微鏡用標本ホルダを備えたステージを示す平面図であり、同図（ａ）はスライドガラス保持部を左回りに回転させた状態、（ｂ）はスライドガラス保持部が基準位置にある状態、（ｃ）はスライドガラス保持部を右回りに回転させた状態をそれぞれ示す。
【図４】図３のステージを備えた顕微鏡を示す側面図である。
【符号の説明】
【００４０】
１      顕微鏡
３      ステージ
３１    スライドガラス
３３    顕微鏡用標本ホルダ
４１    ホルダ本体
４５    板ばね
４７    スライドガラス保持部
６１    第１螺子
６３    第２螺子
６５    円弧状スリット
６７    角度目盛
【図１】
2010060738.tif 000003
【図２】
2010060738.tif 000004
【図３】
2010060738.tif 000005
【図４】
2010060738.tif 000006